(57)【要約】【課題】横長のデジタル映像及び横長のデジタル映像と同時に表示される携帯機器に関する情報などを見やすく表示することができる携帯機器を提供する。【解決手段】横長判定部１０４は、表示器１０７に表示されるデジタル映像が横長であるか否かを判定する。表示器１０７に表示されるデジタル映像が横長である場合、表示制御部１０６は、デジタル映像及び通知情報を見やすく表示するために、メモリ１０３内のデジタル映像及び通知情報を９０度回転させ、それらを表示器１０７に表示する。【選択図】      図１
2004363892.tif 000002
【特許請求の範囲】
【請求項１】
縦長の表示器を有する携帯機器であって、
前記表示器に表示するデジタル映像が横長であるか否かを判定する判定手段と、
前記表示器に表示するデジタル映像が横長である場合、前記デジタル映像及び前記携帯機器に関する情報を９０度回転させる表示制御手段とを有することを特徴とする携帯機器。
【請求項２】
前記携帯機器に関する情報は、バッテリの残量を示す情報、電波の強さを示す情報及び現在の日時を示す情報の少なくとも一つを含むことを特徴とする請求項１に記載の携帯機器。
【請求項３】
前記携帯機器に関する情報は、電話の着信の有無及び電子メールの受信の有無のいずれかを含むことを特徴とする請求項１又は２に記載の携帯機器。
【請求項４】
前記携帯機器に関する情報は、電話の着信及び電子メールの受信を音ではなく振動で通知するモードがオンであるか否かを示す情報を含むことを特徴とする請求項１〜３のいずれか一項に記載の携帯機器。
【請求項５】
前記表示制御手段は、前記デジタル映像が横長である場合、前記デジタル映像に関する情報を９０度回転させる手段でもあることを特徴とする請求項１〜４のいずれか一項に記載の携帯機器。
【請求項６】
前記表示制御手段は、使用者の指示に従って前記デジタル映像及び前記携帯機器を１８０度回転させる手段でもあることを特徴とする請求項１〜５のいずれか一項に記載の携帯機器。
【請求項７】
前記携帯機器は、携帯電話であることを特徴とする請求項１〜６のいずれか一項に記載の携帯機器。
【発明の詳細な説明】
【０００１】
【発明の属する技術分野】
本発明は、携帯電話などの携帯機器に関する。
【０００２】
【従来の技術】
従来の携帯電話は、縦長の表示器を有し、その表示器に縦長のデジタル映像を表示していた。近年では、縦長の表示器に横長のデジタル映像を見やすく表示することが検討されている。例えば、特許文献１では、携帯電話の画面サイズが縦長である場合、９０度回転させたデジタル映像を携帯電話に配信するサーバ装置が提案されている。
【０００３】
【特許文献１】
特開２００２−１０８７５７号公報
【０００４】
【発明が解決しようとする課題】
しかしながら、特許文献１では、サーバ装置でデジタル映像を９０度回転させなければならないため、サーバ装置にかかる負担が大きいという問題がある。このような問題は、サーバ装置にアクセスする携帯機器の数が増えるごとに深刻になる。
【０００５】
また、特許文献１では、使用者に通知すべき情報（携帯電話に関する情報、画像に関する情報など）の表示方法を考慮していないため、横長のデジタル映像は９０度回転した状態で表示されるが、使用者に通知すべき情報は９０度回転されずに表示されてしまう可能性がある。この場合、横長のデジタル映像の向きと使用者に通知すべき情報の向きが異なるため、使用者に通知すべき情報が見にくくなってしまうという問題がある。
【０００６】
さらに、特許文献１では、横長のデジタル映像の回転方向を使用者が選べないという問題もある。
【０００７】
本発明は、このような問題を解決することを目的とするものであり、横長のデジタル映像及び携帯機器に関する情報を見やすく表示することができる携帯機器を提供することを目的とする。
【０００８】
【課題を解決するための手段】
本発明の携帯機器は、縦長の表示器を有する携帯機器であって、前記表示器に表示するデジタル映像が横長であるか否かを判定する判定手段と、前記表示器に表示するデジタル映像が横長である場合、前記デジタル映像及び前記携帯機器に関する情報を９０度回転させる表示制御手段とを有することを特徴とする。
【０００９】
【発明の実施の形態】
以下、図面を参照し、本発明の携帯機器に好適な実施の形態を説明する。
【００１０】
［第１の実施の形態］
まず、図１を参照し、第１の実施の形態における携帯機器である携帯電話１０の主要な構成要素を説明する。
【００１１】
無線通信部１０１は、インターネットなどの通信回線を介して配信サーバとの通信が可能であり、使用者によって選択されたデジタル映像コンテンツを配信サーバから受け取る処理を行う。なお、デジタル映像コンテンツは、ＭＰＥＧ−４ビジュアル（参考文献：ＩＳＯ／ＩＥＣ１４４９６−２：１９９９，Ｉｎｆｏｒｍａｔｉｏｎ  ｔｅｃｈｎｏｌｏｇｙ−−Ｃｏｄｉｎｇ  ｏｆ  ａｕｄｉｏ−ｖｉｓｕａｌ  ｏｂｊｅｃｔｓ−−Ｐａｒｔ２：Ｖｉｓｕａｌなど）に準拠したものであっても、それ以外の映像符号化形式に準拠したものであってもよい。
【００１２】
デコーダ部１０２は、無線通信部１０１から供給されたデジタル映像コンテンツをデコードする処理を行い、デジタル映像コンテンツをデコードすることによって得られたデジタル映像をメモリ１０３の所定の領域に書き込む処理を行う。また、デコーダ部１０２は、デジタル映像が横長であることを示す情報或いはデジタル映像のアスペクト比を示す情報をデジタル映像コンテンツから取得し、その情報を横長判定部１０４に供給する処理も行う。
【００１３】
横長判定部１０４は、メモリ１０３内のデジタル映像が横長であるか否かをデコーダ部１０２から供給された情報を用いて自動的に判定し、その判定の結果を表示制御部１０６に供給する処理を行う。
【００１４】
通知情報生成部１０５は、使用者に通知すべき情報（以下、通知情報という）を適宜生成し、それらをメモリ１０３の所定の領域に書き込む処理を行う。通知情報は、携帯機器１０に関する情報（以下、機器情報という）、表示器１０７に表示されるデジタル映像に関する情報（以下、映像付属情報という）の少なくとも一つを含む。機器情報は、バッテリの残量を示す情報、電波の強さを示す情報、現在の日時を示す情報、電話の着信の有無を示す情報、電子メールの受信の有無を示す情報、サイレントモード（電話の着信及び電子メールの受信を音ではなく振動で通知するモード）がオンであるか否かを示す情報などの少なくとも一つを含む。映像付属情報は、デジタル映像の再生時間（再生を開始してからの経過時間）を示す情報、配信サーバのＵＲＬを示す情報などの少なくとも一つを含む。
【００１５】
表示制御部１０６は、メモリ１０３内のデジタル映像が縦長である場合、メモリ１０３内のデジタル映像及び通知情報を回転させることなくメモリ１０３から読み出し、それらを表示器１０７に表示する処理を行う。また、表示制御部１０６は、メモリ１０３内のデジタル映像が横長である場合、メモリ１０３内のデジタル映像及び通知情報を時計回り（又は反時計回り）に９０度回転させてメモリ１０３から読み出し、それらを表示器１０７に表示する処理を行う。また、表示制御部１０６は、横長のデジタル映像及び通知情報を時計回り（又は反時計回り）に９０度回転させて表示しているときに反転ボタン１０８が押された場合、それらを１８０度反転させて表示する処理を行う。
【００１６】
次に、図２のフローチャートを参照し、携帯電話１０で実行される処理手順の一つを説明する。図２では、縦長又は横長のデジタル映像及び通知情報を表示するための処理手順を説明する。
【００１７】
ステップＳ２０１：無線通信部１０１は、使用者によって指定された配信サーバにアクセスし、使用者によって選択されたデジタル映像コンテンツを受信し、受信したデジタル映像コンテンツをデコーダ部１０２に供給する。
【００１８】
ステップＳ２０２：デコーダ部１０２は、デジタル映像コンテンツをデコードし、デジタル映像コンテンツから得たデジタル映像をメモリ１０３の所定の領域に書き込む。
【００１９】
ステップＳ２０３：横長判定部１０４は、メモリ１０３内のデジタル映像が横長であるか否かをデコーダ部１０２から供給された情報を用いて自動的に判定し、その判定の結果を表示制御部１０６に通知する。
【００２０】
ステップＳ２０４：メモリ１０３内のデジタル映像が横長でない場合（言い換えれば、縦長である場合）、表示制御部１０６は、メモリ１０３内のデジタル映像及び通知情報を回転させずにメモリ１０３から読み出し、それらを表示器１０７に表示する。このとき、表示器１０７に表示される縦長のデジタル映像及び通知情報の一例を図３に示す。図３では、バッテリの残量を示す情報、電波の強さを示す情報、電子メールの受信の有無を示す情報を含む通知情報を表示する例を示す。
【００２１】
ステップＳ２０５：メモリ１０３内のデジタル映像が横長である場合、表示制御部１０６は、メモリ１０３内のデジタル映像及び通知情報を時計回りに９０度回転させてメモリ１０３から読み出し、それらを表示器１０７に表示する。このとき、表示器１０７に表示される横長のデジタル映像及び通知情報の表示例を図４（Ａ）に示す。図４（Ａ）では、バッテリの残量を示す情報、電波の強さを示す情報、電子メールの受信の有無を示す情報を含む通知情報を表示する例を示す。図４（Ａ）に示すように、メモリ１０３内のデジタル映像及び通知情報は、時計回りに９０度回転させた状態で表示器１０７に表示される。
【００２２】
ステップＳ２０６：表示制御部１０６は、反転ボタン１０８が押されたか否かを判定する。
【００２３】
ステップＳ２０７：反転ボタン１０８が押された場合、表示制御部１０６は、メモリ１０３内の横長のデジタル映像及び通知情報を１８０度回転させてメモリ１０３から読み出し、それらを表示器１０７に表示する。このとき、表示器１０７に表示される横長のデジタル映像及び通知情報の表示例を図４（Ｂ）に示す。図４（Ｂ）では、バッテリの残量を示す情報、電波の強さを示す情報、電子メールの受信の有無を示す情報を含む通知情報を表示する例を示す。図４（Ｂ）に示すように、メモリ１０３内のデジタル映像及び通知情報は、反時計回りに９０度回転させた状態で表示器１０７に表示される。
【００２４】
ステップＳ２０８：表示制御部１０６は、デジタル映像の表示を終了するか否かを判定する。デジタル映像の表示を終了する場合、本フローチャートは終了する。また、デジタル映像の表示を終了しない場合、本フローチャートはステップＳ２０６に進む。
【００２５】
このように、携帯電話１０によれば、表示器１０７に表示するデジタル映像が横長である場合、横長のデジタル映像と同時に携帯機器１０に関する情報を時計回り（又は反時計回り）に９０度回転させて表示することができるので、それらを見やすく表示することができる。また、携帯電話１０によれば、横長のデジタル映像と同時にデジタル映像に関する情報も時計回り（又は反時計回り）に９０度回転させて表示することができるので、デジタル映像に関する情報も見やすく表示することもできる。また、携帯電話１０によれば、反転ボタン１０８を操作することにより、横長のデジタル映像の回転方向を変更することもできる。
【００２６】
［他の実施の形態］
なお、本発明は、上述の実施の形態に限定されるものではなく、様々な形態において実施可能である。
【００２７】
例えば、本発明は、携帯電話以外の携帯機器にも実施可能である。また、本発明の主要な処理は、コンピュータで実行可能なプログラムによって実施することも、そのプログラムを記録した記録媒体で実施することも可能である。
【００２８】
【発明の効果】
本発明によれば、横長のデジタル映像及び横長のデジタル映像と同時に表示される携帯機器に関する情報などを見やすく表示することができる携帯機器を提供することができる。
【図面の簡単な説明】
【図１】第１の実施の形態における携帯機器である携帯電話１０の主要な構成要素を示す図である。
【図２】携帯電話１０の処理手順の一つを説明するためのフローチャートである。
【図３】縦長のデジタル映像及び通知情報の表示例を示す図である。
【図４】横長のデジタル映像及び通知情報の表示例を示す図である。
【符号の説明】
１０  携帯電話
１０１  無線通信部
１０２  デコーダ部
１０３  メモリ
１０４  横長判定部
１０５  通知情報生成部
１０６  表示制御部
１０７  表示器
１０８  反転ボタン
【図１】
2004363892.tif 000003
【図２】
2004363892.tif 000004
【図３】
2004363892.tif 000005
【図４】
2004363892.tif 000006